(57)【特許請求の範囲】
【請求項１】
ＣＤＭＡ方式を採用したスペクトラム拡散受信装置において、
拡散符号の位相を変化させながらスペクトラム拡散された受信信号と相関をとることで得られる相関プロファイルから相関ピーク位置をサーチして、そのタイミング情報を出力するためのサーチャと、
該サーチャからのタイミング情報を受けてタイミングコントローラの動作を制御するための制御部と、
後段のＤＬＬの動作タイミング信号を与えるためのタイミングコントローラと、
該動作タイミング信号を受けてスペクトラム拡散された受信信号に対して符号系列を用いて逆拡散し、同期追従および復調を行うためのＤＬＬとを備え、
前記タイミングコントローラは、前記ＤＬＬの同期追従信号を受けて前記制御部に同期追従タイミング信号として出力し、また前記サーチャに動作開始パルスを出力し、
前記制御部は、前記サーチャのタイミング情報から予想される同期タイミングと、実際に同期追従しているＤＬＬからのタイミング信号とを比較し、タイミング差が一定値以上あると判断した場合に、そのタイミングで動作しているＤＬＬは同期ハズレであると判定し、当該ＤＬＬの動作を停止させるか、あるいは前記サーチャが検出する別ピークタイミングから当該ＤＬＬの再動作開始タイミングを与えることを特徴とするスペクトラム拡散受信装置。
【請求項２】
前記サーチャがパスサーチする対象信号を、伝搬路推定に用いられる共通パイロットチャネルに定め、前記ＤＬＬの同期ハズレ判定を行うことを特徴とする請求項１記載のスペクトラム拡散受信装置。
【請求項３】
前記サーチャがパスサーチする対象信号を、通信チャネルの個別パイロットを用いて伝搬路推定を行うシステムの通信チャネルに定め、前記ＤＬＬの同期ハズレ判定を行うことを特徴とする請求項１記載のスペクトラム拡散受信装置。
【発明の詳細な説明】
【０００１】
【発明の属する技術分野】
この発明は、ＣＤＭＡ（符号分割多元接続）方式を採用した第３世代移動体通信システムにおけるスペクトラム拡散受信装置に関するもので、特に、ＣＤＭＡ通信システムで一般的に同期捕捉（パスサーチ）に使用するサーチャを、同期追従回路であるＤＬＬの同期ハズレ判定に活用可能としたスペクトラム拡散受信装置に関する。
【０００２】
【従来の技術】
近年、第３世代移動体通信システムの基幹技術たる無線通信方式として、スペクトラム拡散通信技術を採用したＣＤＭＡ方式と呼ばれる多元接続方式が普及してきており、これに関して技術提案および技術開発が盛んに行われている。
ＣＤＭＡ方式では、送信側で目的の信号に拡散符号を乗算する拡散処理を行うことにより、元の信号より十分に広帯域な無線信号が送出される。この処理により、他の基地局・端末からの信号は、直交関係にある符号を使っている限りノイズと同等とみなすことができ、同じ周波数を使いながらも、受信側における「逆拡散処理」により分離して目的の信号を受信することが可能である。
【０００３】
逆拡散処理とは、受信側において送信側と同一の拡散符号を乗算することにより、元の一次変調信号を取り出す処理のことである。この際、受信タイミングを、拡散符号のビット速度単位であるチップ単位で同期捕捉・追従する必要がある。
一方、無線通信の本質的な特徴として、信号波が建造物や地形によって反射することにより、複数の伝搬経路が生じるマルチパスと呼ばれる現象が発生する場合がある。したがって、同一のタイミングで発信された信号は、時間差を持って受信されることになる。
【０００４】
ＣＤＭＡ方式では、受信側において複数のパスタイミングに合わせて逆拡散処理を行い、時間差をもった復調信号を合成することが可能である。ただし、移動体通信であるが故に、このマルチパスは時間的に変動することになる。
このような特徴のために、受信信号の信号強度が時間的に変動するフェージングと呼ばれる現象が生じる。このようなマルチパスフェージング環境下において、最適な受信パスを選択して正確にチップ単位で受信タイミングを調整し、受信信号に同期追従することが、ＣＤＭＡ受信技術に必要不可欠となっている。
【０００５】
ＣＤＭＡ受信装置において、同期追従の役割を担う回路として、一般的にＤＬＬ（Ｄｅｌａｙｅｄ  Ｌｏｃｋｅｄ  Ｌｏｏｐ）が採用されている。すなわち、図３に示すように、同期がとれているタイミングより一定量早いタイミングと遅いタイミングで、相関器により各受信信号に符号を乗算し、両者の相関出力の差分をもってループフィルタのループ制御を行い、符号発生位相の進み／遅れの判定を下すことにより同期追従を実現する。
一般的には、この一定量は±０．５チップが採用される。従来技術では、ＤＬＬの出力から実際に復調した結果を、制御部において評価することにより、ＤＬＬが同期ハズレになっているか否かを判定していた。
【０００６】
なお、図３において、３０１は受信信号、３０２，３０３，３０４は相関回路、３０５は差分出力回路、３０６はループフィルタ、３０７は拡散符号発生器、３０８，３０９は遅延回路、３１０は復調データ、３１１はタイミング信号発生器、３１２は動作開始信号、３１３はＤＬＬ同期信号をそれぞれ示す。
【０００７】
さらに、特開２０００−９２０２６号公報に記載された技術によれば、ＤＬＬの同期ハズレ判定に対して同期捕捉部の情報を活用することで、受信同期特性の向上を図っている。
すなわち、特開２０００−９２０２６号公報に記載された技術では、図４に示すように、ＣＤＭＡ受信装置の構成要素として、同期捕捉部４１１、同期追従部４１３，４１４，４１５のほかに割り当て制御部４１２を追加している。
【０００８】
同期捕捉部４１１は、その相関出力の電力値の大きいタイミングを、捕捉同期位置Ｓ４１１Ａとして割り当て制御部４１２に出力する。割り当て制御部４１２は、複数の捕捉同期位置Ｓ４１１Ａの中から、位相差が閾値以上のものを選択し、割り当て同期位置Ｓ４１２Ａ，Ｓ４１２Ｂ，Ｓ４１２Ｃとして出力する。
同期追従部４１３，４１４，４１５は、割り当て同期位置Ｓ４１２Ａ，Ｓ４１２Ｂ，Ｓ４１２Ｃを受けて同期追従動作を行い、各追従同期位置Ｓ４１３Ａ，Ｓ４１４Ａ，Ｓ４１５Ａと追従相関電力値Ｓ４１３Ｂ，Ｓ４１４Ｂ，Ｓ４１５Ｂを出力する。同期追従部４１３，４１４，４１５としては、通常の場合、この技術分野で一般的なＤＬＬが用いられる。
【０００９】
割り当て制御部４１２では、捕捉同期位置Ｓ４１１Ａと追従同期位置Ｓ４１３Ａ，Ｓ４１４Ａ，Ｓ４１５Ａの比較を行い、位相差が予め定めた閾値以下の追従同期位置は除外し、同一の同期位置を追従することを避けている。また、同期追従部４１３，４１４，４１５の各々の追従相関電力値Ｓ４１３Ｂ，Ｓ４１４Ｂ，Ｓ４１５Ｂが、予め定める閾値以下であった場合には、別の捕捉同期位置を選択し、同期追従部を割り当てる。
【００１０】
このような方法を採用することにより、フェージングによる受信波電力低下やパスそのものの消失に際しても、復調動作を中断することなく新たな同期位置の割り当てを継続して行うことができる。このため、ＤＬＬの相関出力のみに頼る従来技術と比較して、同期追従特性に優れた受信方式および回路となっている。
【００１１】
【発明が解決しようとする課題】
しかしながら、上述した従来の技術のうち、前者におけるＤＬＬの出力そのものを同期ハズレ判定とする同期回路にあっては、マルチパスフェージングのような現実の環境を考慮すれば、ＤＬＬの通常の動作期間（フレーム単位：１０ｍｓ）に結果を判定する手段を用いたのでは、動作期間中にフェージングにより振幅が大きく変化する可能性があり、その結果、同期追従判定を誤るおそれがある。
【００１２】
また、ＤＬＬ自体、通常±０．５チップの幅で同期追従を行うため、追従能力にも限界がある。さらに、回路規模が増大化するとともに、それに伴う消費電力増加も避けられない。
【００１３】
また、特開２０００−９２０２６号公報に記載されている技術では、同期捕捉部を活用することによりＤＬＬの同期追従能力の限界を補強して、同期ハズレ判定の高精度化を行うことができるとともに、既存の構成の変更にとどまるため回路規模が抑制されるとしている。
しかしながら、同期ハズレ判定方式では、基本となる同期捕捉部の捕捉同期位置の決定方法として、同期追従部の相関電力の大きいタイミングを採用している。この点において、前者の従来技術と同様に、ＤＬＬの電力値による判定ではフェージングに弱く、判定を誤る可能性があるという問題を有している。
【００１４】
さらに、第３世代移動通信システムでは、伝搬路推定において、既知シンボルが伝送される共通パイロットチャネル上の共通パイロットを用いて、通信チャネルの受信シンボル復調を行うシステムが提案されている。
また、通信チャネル上の個別パイロットを伝搬路推定に用いるシステムが提案されており、この場合、個別パイロットを用いて伝搬路推定を行うことになる。例えば、受信特性改善のために、電子情報通信学会技術研究報告ＲＣＳ９９−１２「Ｗ−ＣＤＭＡにおける下りリンク送信ダイバーシチの効果」に示されたように、ＳＴＴＤやＦｅｅｄＢａｃｋ型の送信ダイバーシチ、クローズドループ高速送信電力制御を、個別パイロットを有する通信チャネルに対して適用する方式が提案されている。
【００１５】
前述した特開２０００−９２０２６号公報に記載された技術では、特定の通信システムを念頭に置き、例えば、第３世代移動通信システムのように、共通パイロットや個別パイロットを有する特定のチャネルに対して、サーチャによりスライディング相関処理を行い、ＤＬＬの同期ハズレを判定する方式を提案するものではない。
【００１６】
本発明は、上述した事情に鑑みなされたもので、特に、第３世代移動通信システムに適用されることを念頭に置き、ＣＤＭＡ受信装置において不可欠な同期追従監視を中断することなく正確かつ適切に実行するとともに、消費電力および回路規模を低減することが可能なスペクトラム拡散受信装置を提供することを目的とする。
【００１７】
【課題を解決するための手段】
本発明のスペクトラム拡散受信装置は、上述した目的を達成するため、以下の特徴点を備えている。
【００１８】
すなわち、本発明のスペクトラム拡散受信装置は、ＣＤＭＡ方式を採用したスペクトラム拡散受信装置において、拡散符号の位相を変化させながらスペクトラム拡散された受信信号と相関をとることで得られる相関プロファイルから相関ピーク位置をサーチして、そのタイミング情報を出力するためのサーチャと、該サーチャからのタイミング情報を受けてタイミングコントローラの動作を制御するための制御部と、後段のＤＬＬの動作タイミング信号を与えるためのタイミングコントローラと、該動作タイミング信号を受けてスペクトラム拡散された受信信号に対して符号系列を用いて逆拡散し、同期追従および復調を行うためのＤＬＬとを備える。前記タイミングコントローラは、前記ＤＬＬの同期追従信号を受けて前記制御部に同期追従タイミング信号として出力し、また前記サーチャに動作開始パルスを出力し、前記制御部は、前記サーチャのタイミング情報から予想される同期タイミングと、実際に同期追従しているＤＬＬからのタイミング信号とを比較し、タイミング差が一定値以上あると判断した場合に、そのタイミングで動作しているＤＬＬは同期ハズレであると判定し、当該ＤＬＬの動作を停止させるか、あるいは前記サーチャが検出する別ピークタイミングから当該ＤＬＬの再動作開始タイミングを与えることを特徴としている。
【００１９】
また、前記スペクトラム拡散受信装置において、前記サーチャがパスサーチする対象信号を、伝搬路推定に用いられる共通パイロットチャネルに定め、前記ＤＬＬの同期ハズレ判定を行うように構成することが可能である。
【００２０】
また、前記スペクトラム拡散受信装置において、前記サーチャがパスサーチする対象信号を、通信チャネルの個別パイロットを用いて伝搬路推定を行うシステムの通信チャネルに定め、前記ＤＬＬの同期ハズレ判定を行うように構成することが可能である。
【００２１】
本発明のスペクトラム拡散受信装置では、以下に示す動作が行われる。
すなわち、サーチャと呼ばれる同期捕捉部により、一定の長さの拡散符号を、位相をずらしながら各々の位相で部分相関出力と捕捉同期タイミング情報を得る。タイミングコントローラにより、制御部からの指示に基づいて同期追従部であるＤＬＬの動作開始タイミング信号を出力するとともに、ＤＬＬからの追従同期タイミング信号を受け取り、タイミング情報として制御部に渡す。
【００２２】
ＤＬＬは、実際に逆拡散出力を得る相関演算回路部（ｐｕｎｃｔｕａ１）と、位相同期したタイミングから各々０．５チップずつ進んだ拡散符号と遅れた拡散符号の相関をとり、その差分を通じて拡散符号の位相制御を行う２組の相関演算回路部（ｅａｒｌｙおよびｌａｔｅ）の３つの相関演算回路部とからなり、逆拡散復調出力と同期追従タイミング信号を出力する。制御部により、各部の基本動作制御および特にサーチャの捕捉タイミング情報と、タイミングコントローラからのＤＬＬの同期追従タイミング信号を比較して、ＤＬＬの割り当て、同期ハズレ判定、動作停止、再開などを、タイミングコントローラを通じて指示する。
【００２３】
そして、正確な同期ハズレ判定を行い、同期がハズレているＤＬＬに対してはその動作を停止させ、さらにサーチャの出力結果から新たにＤＬＬの動作タイミングを定めて、適切なタイミングで受信動作を再開させることにより、フェージングの影響をより小さくして良好な受信特性を得ることができる。
【００２４】
ところで、同期ハズレ判定に対して、ＤＬＬの復調出力を利用した方式では、フェージングの影響を大きく受け、同期ハズレを誤判定する可能性がある。これに対して、本発明のスペクトラム拡散受信装置では、ＤＬＬより動作周期の短いサーチャの同期捕捉動作結果を利用することにより、フェージングの影響をできる限り小さくすることができる。
【００２５】
また、同期ハズレ判定に対して、サーチャおよびＤＬＬのタイミング情報を用いているため、振幅情報を用いる従来の技術と比較して、フェージングの影響を受け難くなり、同期追従動作を中断することなく、時間的に変動する同期追従タイミングに対応して適切にＤＬＬを割り当てて動作させることができる。このため、消費電力を削減することが可能となる。
【００２６】
また、ＤＬＬは、少なくとも３つの相関演算回路で構成されているため、信頼性向上のためにＤＬＬの構成数を増やせば回路規模が増大し、必然的に消費電力が大きくなってしまう。これに対して、本発明のスペクトラム拡散受信装置によれば、個別に同期ハズレ判定を目的とする相関演算を行う回路を新たに設ける必要がなく、従来より初期同期捕捉動作（パスサーチ）に用いている既存のサーチャの出力と、ＤＬＬの動作を決定するためのタイミングコントローラ、およびＤＬＬとサーチャの出力を用いているので、同期ハズレを判定するための制御部に小規模の変更を加えるだけで回路を構成することが可能となる。このため、回路規模の増大化を抑制することができるので、この点からも低消費電力化を図ることができる。
【００２７】
【発明の実施の形態】
以下、図面に示す具体的な実施例に基づいて、本発明のスペクトラム拡散受信装置の一実施形態を説明する。本発明のスペクトラム拡散受信装置は、特にＣＤＭＡ方式を採用した第３世代移動体通信システムに用いることを念頭に置いたものである。
【００２８】
＜スペクトラム拡散受信装置＞
図１は、本発明の実施形態に係るスペクトラム拡散受信装置の構成を示すブロック図である。
本発明の実施形態に係るスペクトラム拡散受信装置は、図１に示すように、同期追従回路であるＤＬＬ１０１，１０２，１０３、これらのＤＬＬ１０１，１０２，１０３からの出力を合成するためのＲＡＫＥ合成回路１０４、一定の長さの拡散符号の位相を変化させながら受信信号相関出力を得て、一定の閾値以上の相関出力を得たタイミング情報を内部タイミングカウンタ値から出力するためのサーチャ１０５、ＤＬＬ１０１，１０２，１０３およびサーチャ１０５に対して動作開始タイミングを与えるとともに、サーチャ１０５と同様に、その内部にタイミング情報を決定するためのタイミングカウンタを有するタイミングコントローラ１０６、各部の動作条件の設定および特にＤＬＬ１０１，１０２，１０３の同期ハズレ判定に関する設定を行うための制御部１０７を備えて構成されている。
【００２９】
また、図１において、Ｓ１００はアンテナからの受信信号、Ｓ１０８はサーチャ１０５からの出力信号により一定以上の相関値が得られた同期捕捉タイミング信号、Ｓ１０９は複数のＤＬＬ１０１，１０２，１０３からの出力がＲＡＫＥ合成された結果である復調データ、Ｓｌｌ０は制御部１０７からタイミングコントローラ１０６に対して出力されるＤＬＬ動作指示、Ｓ１１１はタイミングコントローラ１０６から制御部１０７に対して出力されるＤＬＬ１０１，１０２，１０３の同期追従タイミング信号、Ｓ１１２，Ｓ１１３，Ｓ１１４はＤＬＬ１０１，１０２，１０３からタイミングコントローラ１０６に対して出力される同期追従信号をそれぞれ示す。
【００３０】
なお、図１に示す実施形態において、３つのＤＬＬ１０１，１０２，１０３を備えた構成となっているが、システムの要求条件、回路規模制限等の条件により、それ以上のＤＬＬを備えた構成とすることも考えられる。この場合においても、本質的な動作、および本発明の意図するところは同様であり、十分な効果を得ることができるる。
【００３１】
このスペクトラム拡散受信装置は、サーチャ１０５において同期捕捉動作を行い、ＤＬＬ１０１，１０２，１０３において同期追従動作を行う。
ＤＬＬ１０１，１０２，１０３の動作タイミングは、サーチャ１０５からの出力を受けて、制御部１０７の指示でタイミングコントローラ１０６から与えられる。受信信号Ｓ１００が入力されると、サーチャ１０５においてパスサーチが行われ、その結果を受けて適切なタイミングで、ＤＬＬ１０１，１０２，１０３が同期追従を行い、受信信号が復調される。なお、この後、ＲＡＫＥ合成回路１０４により、マルチパスから生じる異なるタイミングの複数の信号が合成されることになる。
さらに、明示していないが、制御部１０７は、タイミングコントローラ１０６を制御するだけでなく、ＤＬＬ１０１，１０２，１０３、ＲＡＫＥ合成回路１０４およびサーチャ１０５も制御しており、基本動作のための電力閾値等のパラメータ設定は、この制御部１０７より行われる。
【００３２】
サーチャ１０５は、タイミングコントローラ１０６からの動作開始パルスを受けて、一定の長さの拡散符号を受信信号Ｓ１００に対して位相をずらしながら乗算し、ある閾値以上の相関がとれたタイミングで、そのタイミングを示す内部タイミングカウンタ値、すなわち同期捕捉タイミング信号Ｓ１０８の出力を開始する。
【００３３】
タイミングコントローラ１０６は、この同期捕捉タイミング信号Ｓ１０８を受けて、ＤＬＬ１０１，１０２，１０３の動作開始タイミング信号を出力する。ここで、ピーク位置が複数ある場合には、制御部１０７は、複数存在するＤＬＬ１０１，１０２，１０３に割り当てを行って、各々に動作開始タイミング信号を出力するようタイミングコントローラ１０６に指示する。
【００３４】
ＤＬＬ１０１，１０２，１０３は、動作開始タイミング信号を受けると、各々のタイミングで独立して同期追従動作を行う。そして、ＤＬＬ１０１，１０２，１０３からの出力は、ＲＡＫＥ合成回路１０４により合成されて復調データＳ１０９となる。
【００３５】
また、ＤＬＬ１０１，１０２，１０３の追従動作中にもサーチャ１０５を動作させて、その同期捕捉タイミング信号Ｓ１０８が制御部１０７に入力される。一方、ＤＬＬ１０１，１０２，１０３は、データの復調のほかに動作開始タイミング信号を開始点として、ＤＬＬ１０１，１０２，１０３の追従動作を反映した同期追従信号Ｓ１１２，Ｓ１１３，Ｓ１１４をタイミングコントローラ１０６に対して出力する。
【００３６】
タイミングコントローラ１０６は、その同期追従信号Ｓ１１２，Ｓ１１３，Ｓ１１４を受けて、相当する内部タイミングカウンタ値を制御部１０７に対して同期追従タイミング信号Ｓ１１１として出力する。サーチャ１０５は、タイミングコンローラ１０６の動作開始パルスを受けて動作しており、両者の内部タイミングカウンタを同期させることができる。
【００３７】
したがって、制御部１０７では、同期捕捉タイミング信号Ｓ１０８と同期追従タイミング信号Ｓ１１１を単純に比較することができ、予め定めた閾値以上に位置関係が変更になっていた場合や、タイミングの消失が確認された場合には、該当するＤＬＬ（１０１，１０２，１０３のうちのいずれか）はすでに同期ハズレになっていると判定し、該当するＤＬＬ（１０１，１０２，１０３のうちのいずれか）に対して動作停止の指示が出される。さらに、場合によっては、新しいタイミングで動作再開させるように、タイミングコントローラ１０６に指示が出される。
【００３８】
このような回路構成を採用することにより、フェージングの影響のために、ＤＬＬ１０１，１０２，１０３の同期追従タイミングが大きく移動したり、パスそのものが消失して、いずれかのＤＬＬ１０１，１０２，１０３が同期ハズレに陥ってしまった場合であっても、その同期ハズレ判定を速やかに行って、動作を停止させたり、さらには別の新しいタイミングで動作を再開させることが可能になる。
【００３９】
また、同期ハズレ判定には、動作タイミング情報を利用するため、振幅を利用する場合と比較して、フェージングによる振幅の変動から誤判定となる可能性が低くなり、正確な判定を行うことができる。
したがって、ＤＬＬ１０１，１０２，１０３の同期追従動作を中断なく正確に継続することにより、受信特性を向上させることができるとともに、効率的な動作による消費電力削減の効果を得ることができる。さらに、回路設計という観点からは、すでに従来技術として、ＤＬＬ１０１，１０２，１０３の動作開始タイミングを決定するための相関ピーク位置検出においてサーチャ１０５を使用しているため、制御部１０７において、同期捕捉タイミング信号Ｓ１０８と、タイミングコントローラ１う０６から得られるＤＬＬ１０１，１０２，１０３の同期追従タイミング信号Ｓ１１１とを比較することにより同期判定を行い、各部をコントロールするように変更すればよく、各ブロックのハードウェア的な変更を比較的小規模なものに抑えることができる。
【００４０】
＜送信信号フォーマット＞
次に、本発明の実施形態に係るスペクトラム拡散受信装置における送信信号フォーマットの具体例を説明する。
図２は、本発明の実施形態に係るスペクトラム拡散受信装置における送信信号フォーマットの説明図であり、（ａ）は送信信号フォーマットの実施例１、（ｂ）は送信信号フォーマットの実施例２を示す。
【００４１】
＜送信信号フォーマット：実施例１＞
図２（ａ）に示すように、第３世代移動体通信システムにおいては、共通パイロットチャネルが一定のパワーで送信されており、同チャネル上のパイロットシンボルは既知である。そこで、このパイロットチャネルに対してサーチャを動作させ、パイロットシンボルから伝送路推定を行って復調出力を得ることが一般的な手法である。共通パイロットシンボルはスロット単位であり、この期間は少なくとも安定した同期追従特性が求められる。
そこで、この通信システムに本発明のスペクトラム拡散受信装置を適用した場合には、パイロットチャネルに対してサーチャを動作させ、同期回路により安定した同期ハズレ判定を実現することが可能となる。
【００４２】
＜送信信号フォーマット：実施例２＞
図２（ｂ）に示すように、第３世代移動体通信システムにおいては、通信チャネルを伝送路推定のためのチャネルに用いることが提案されており、個別パイロットシンボルはさらに短い期間であり、その上、スロット単位でパワー制御が行われるため、受信信号の振幅変動はさらに大きいものとなる。しかしながら、この場合においても、共通パイロットチャネルの場合と同様に、サーチャを通信チャネルに対して動作させることにより、精度良く同期ハズレの監視を行うことが可能となる。
【００４３】
＜第３世代移動体通信システムへの応用＞
本発明のスペクトラム拡散受信装置は、本来、ＤＬＬの同期追従タイミングを発見するためのパスサーチに用いられているサーチャを、ＤＬＬの同期監視に使うという構成を備えている。
したがって、従来のスペクトラム拡散受信装置に対して、大幅な回路規模の増加を考慮する必要はなく、制御部に対してもソフトウェアの変更を行うだけでよい。このため、回路規模を比較的小さいまま維持することができる。
このように、本発明のスペクトラム拡散受信装置によれば、回路規模の面と、適切なＤＬＬの動作が実現できるという点で消費電力を抑えることができるので、特に第３世代移動体通信システムの受信システムに対して応用することができる。
【００４４】
【発明の効果】
本発明のスペクトラム拡散受信装置は、上述した構成を備えているため、以下の効果を奏することができる。
【００４５】
すなわち、本発明のスペクトラム拡散受信装置によれば、ＣＤＭＡ受信方式における重要な要素技術である同期追従を担当するＤＬＬの同期ハズレ監視において、一般的に同期捕捉に用いられるサーチャからのタイミング情報と、同期追従に用いられるＤＬＬのタイミング情報とを比較して、同期しているか否かを判定する。
したがって、動作周期が長く、相関電力を利用するという従来技術に比較して、フェージングに強いばかりでなく、追加の回路も比較的小規模にすることができ、その結果、消費電力を抑えることができる。
【００４６】
また、本発明のスペクトラム拡散受信装置によれば、共通チャネルあるいは通信チャネルのサーチャから得られるタイミング情報により、同期ハズレ判定を行う。
したがって、特に第３世代移動体通信システムに適用することが可能となり、システムに応じた正確な同期判定を行うことができるとともに、回路規模を抑えて低消費電力化に貢献することができる。
【図面の簡単な説明】
【図１】本発明の実施形態に係るスペクトラム拡散受信装置の構成を示すブロック図である。
【図２】本発明の実施形態に係るスペクトラム拡散受信装置における送信信号フォーマットの説明図であり、（ａ）は送信信号フォーマットの実施例１、（ｂ）は送信信号フォーマットの実施例２を示す。
【図３】ＣＤＭＡ受信において既知のＤＬＬの構成を示すブロック図である。
【図４】従来技術における受信同期回路の概略構成を示すブロック図である。
【符号の説明】
１０１，１０２，１０３  ＤＬＬ
１０４  ＲＡＫＥ合成回路
１０５  サーチャ
１０６  タイミングコントローラ
１０７  制御部
Ｓ１００  受信信号
Ｓ１０８  同期捕捉タイミング信号
Ｓ１０９  復調データ
Ｓ１１０  ＤＬＬ動作指示
Ｓ１１１  同期追従タイミング信号
Ｓ１１２，Ｓ１１３，Ｓｌｌ４  同期追従信号
３０１  受信信号
３０２，３０３，３０４  相関回路
３０５  差分出力回路
３０６  ループフィルタ
３０７  拡散符号発生器
３０８，３０９  遅延回路
３１０  復調データ
３１１  タイミング信号発生器
３１２  動作開始信号
３１３  ＤＬＬ同期信号
４１１  同期捕捉部
４１２  割り当て制御部
４１３，４１４，４１５  同期追従部
Ｓ４００  受信信号
Ｓ４１１Ａ  捕捉同期位置
Ｓ４１２Ａ，Ｓ４１２Ｂ，Ｓ４１２Ｃ  割り当て同期位置
Ｓ４１２Ｄ  同期捕捉部動作開始信号
Ｓ４１３Ａ，Ｓ４１４Ａ，Ｓ４１５Ａ  追従同期位置
Ｓ４１３Ｂ，Ｓ４１４Ｂ，Ｓ４１５Ｂ  追従相関電力値
【図１】
0003706038.tif 000002
【図２】
0003706038.tif 000003
【図３】
0003706038.tif 000004
【図４】
0003706038.tif 000005